【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
少なくとも１つの放送メディア・ストリームから放送データを受信する少なくとも１つの監視局と、
前記少なくとも１つの監視局から前記放送データを受信し、署名ファイルのデータベースを有する認識システムであって、前記各署名ファイルが、メディア署名から成り、前記メディア署名が、既知のメディア・ファイルに相当するランドマークのセットとフィンガープリントとから成り、前記ランドマークのセットが、前記既知のメディア・ファイル内の品質に従属し、前記フィンガープリントが、前記ランドマークのセット内のランドマーク間に形成されるベクトルから成るようにした認識システムと、
前記認識システムに接続され、前記既知のメディア・ファイルに相当する、前記放送データ内のメディア・エレメントを識別する報告書を生成するように動作可能な分析および報告システムと、
を備え、
前記認識システムが、前記放送データ用の生成した署名を前記署名ファイル中のメディア署名と比較することにより、前記放送データ内の前記メディア・エレメントの同一性を決定するようにした、
放送監視および認識システム。
【請求項２】
前記認識システムが複数のサーバを含み、前記複数のサーバが集計サーバおよび認識サーバを備え、前記集計サーバが前記放送データを受信し、前記放送データを、識別のために前記認識サーバに送信する、請求項１に記載のシステム。
【請求項３】
前記認識サーバがクラスタ状態に編成され、各クラスタが複数の認識サーバを備え、各クラスタが前記署名ファイルの少なくともサブセットを署名ファイルのデータベース内に含む、請求項２に記載のシステム。
【請求項４】
前記監視局および前記認識システムを監視および制御するように動作可能なナーバス・システムをさらに備える、請求項２に記載のシステム。
【請求項５】
前記ナーバス・システムが構成情報を前記少なくとも１つの監視局のそれぞれならびに集計サーバおよび認識サーバのそれぞれに送信する、請求項４に記載のシステム。
【請求項６】
前記ナーバス・システムが前記サーバの機能を前記認識システム内で再割り当てするように動作可能である、請求項５に記載のシステム。
【請求項７】
前記分析および報告システムが前記認識システムからの前記データを分析するためにヒューリスティック分析を使用する、請求項１に記載のシステム。
【請求項８】
前記分析および報告システムが前記ヒューリスティック分析に基づいて報告書を生成するように動作可能である、請求項７に記載のシステム。
【請求項９】
前記監視および認識システムによって受信および生成されたデータを保存するように動作可能なストレージ・エリア・ネットワークをさらに備える、請求項１に記載のシステム。
【請求項１０】
前記既知のメデイア・ファイルおよび前記署名のデータベースが参照ライブラリを有する、請求項１に記載のシステム。
【請求項１１】
前記参照ライブラリが各既知のメデイア・ファイル用のメタデータをさらに有する、請求項１０に記載のシステム。
【請求項１２】
前記放送データがオーディオ・データである、請求項１に記載のシステム。
【請求項１３】
前記放送データがビデオ・データである、請求項１に記載のシステム。
【請求項１４】
放送データを監視および認識する方法であって、
複数の放送ソースから放送データを受信および集計するステップと、
前記放送データの署名を生成するステップと、
前記放送データの署名を、署名ファイルのデータベースからの署名ファイルと比較するステップであって、前記各署名ファイルは、メディア署名からなり、前記メディア署名は、既知のメディア・ファイルに相当するランドマークのセットとフィンガープリントとから成り、前記ランドマークのセットが、前記既知のメディア・ファイル内の品質に従属し、前記フィンガープリントが、前記ランドマークのセット内のランドマーク間に形成されるベクトルから成るようにするステップと、
前記放送データの内容を決定するように前記比較するステップの結果を分析するステップと、
を備えた、放送データを監視および認識する方法。
【請求項１５】
前記比較の前記分析に基づいて報告書を生成するステップをさらに含む、請求項１４に記載の方法。
【請求項１６】
前記報告書の前記生成において、各署名ファイルに関連付けられたメタデータを使用するステップをさらに含む、請求項１５に記載の方法。
【請求項１７】
前記放送データがオーディオ・データである、請求項１４に記載のシステム。
【請求項１８】
前記放送データがビデオ・データである、請求項１４に記載のシステム。
【請求項１９】
オーディオ放送を監視および認識するためのシステムであって、
それぞれが複数のオーディオ放送から未知のオーディオ・データを受信する複数の地理的に分散した監視局と、
前記複数の監視局から前記未知のオーディオ・データを受信し、署名ファイルのデータベースに対して前記未知のオーディオ・データを比較する認識システムであって、前記各署名ファイルが、メディア署名から成り、前記メディア署名が、既知のメディア・ファイルに相当するランドマークのセットとフィンガープリントとから成り、前記ランドマークのセットが、前記既知のメディア・ファイル内の品質に従属し、前記フィンガープリントが、前記ランドマークのセット内のランドマーク間に形成されるベクトルから成り、
前記認識システムは、前記比較の結果として、未知のオーディオ・ストリームのオーディオ・ファイルを識別できるようにして成る前記認識システムと、
前記複数の監視局から前記未知のオーディオ・データを受信し、前記未知のオーディオ・データを、既知のオーディオ・ファイルのライブラリに相当する署名ファイルのデータベースと比較し、前記比較の結果として前記未知のオーディオ・ストリーム内のオーディオ・ファイルを識別できる認識システムと、
前記複数の監視局および前記認識システムを監視および構成することができるナーバス・システムと、
前記認識システムによって実行された前記比較の結果を分析し、前記既知のオーディオ・ファイルのそれぞれに関連付けられたメタデータを使用して複数のオーディオ放送のコンテンツの報告書を生成することができるヒューリスティックおよび報告システムと
を備えるシステム。
【請求項２０】
前記認識システムが複数のサーバからなり、前記複数のサーバが集計サーバおよび認識サーバを備え、前記集計サーバが前記放送データを受信し、前記放送データを識別のために前記認識サーバに送信する、請求項１９に記載のシステム。
【請求項２１】
前記認識サーバがクラスタ状態に編成され、各クラスタが複数の認識サーバを含む、請求項２０に記載のシステム。
【請求項２２】
各クラスタが前記署名ファイルの少なくともサブセットを前記署名ファイルのデータベース内に含む、請求項２１に記載のシステム。
【請求項２３】
前記放送データがオーディオ・データである、請求項１９に記載のシステム。
【請求項２４】
前記放送データがビデオ・データである、請求項１９に記載のシステム。
【請求項２５】
前記放送が無線ラジオ放送である、請求項１９に記載のシステム。
【請求項２６】
前記放送が衛星ラジオ放送である、請求項１９に記載のシステム。
【請求項２７】
前記放送がインターネット放送である、請求項１９に記載のシステム。